(57)【要約】      （修正有）【課題】体型が変化しても、バストラインが強調されないようにすることができ、さらに、上着としてファッションを楽しむことができる形状の上着を提供する。【解決手段】上着は前身頃と右後見頃と左後見頃とから構成されており、右後見頃の長直線辺と左後見頃の長直線辺は完全に分離しており、また、右後見頃の折り畳み片で形成された筒状空間と左後見頃の折り畳み片で形成された筒状空間も完全に分離しており、開口部を形成している。また、紐は襟周りを一回りしているために、着用者が上着を着衣した状態で前屈をしても、後見頃と左後身頃が身体の前面に落ちて邪魔にならなくなる。【選択図】図４
0003139356.tif 000002
【実用新案登録請求の範囲】
【請求項１】
上側中央に開口部が設けられ、また、前記開口部の上側左右に設けられた折り畳み片が裏面に折り畳まれ、前記折り畳み片と前記裏面との間に筒状空間が形成され、また、左右両側に袖取り付け辺と短直線辺とが形成された前身頃部と、
上側折り畳み片が裏面に折り畳まれ、前記折り畳み片と前記裏面との間に筒状空間が形成され、また、一方に袖取り付け辺と短直線辺が形成され、他方に長直線辺が形成された右後見頃と、
上側折り畳み片が裏面に折り畳まれ、前記折り畳み片と前記裏面との間に筒状空間が形成され、また、一方に袖取り付け辺と短直線辺が形成され、他方に長直線辺が形成された左後身頃と、
前記前身頃の上部に形成された筒状空間と、前記右後身頃の上部に形成された筒状空間と、前記左後身頃の上部に形成された筒状空間とを貫通する紐と
から構成される衣服であって、
前記前身頃の右側短直線辺と前記右後身頃の短直線辺、および、前記前身頃の左側短直線辺と前記左後身頃の短直線辺とがそれぞれ縫合され、かつ、前記右後身頃の長直線辺と前記左後見頃の長直線辺との間は完全に分離され、前記紐によって前記右後見頃の上部と前記左後見頃の上部と前記前身頃の上部が連通されていることを特徴とする上着。
【請求項２】
前記前身頃部の左袖取り付け辺と前記左後身頃の袖取り付け辺に左袖部が設けられ、前記前身頃部の右袖取り付け辺と前記右後身頃の袖取り付け辺に右袖部が設けられたことを特徴とする請求項１に記載の上着。
【請求項３】
前記前身頃の右側短直線辺と前記右後見頃の短直線辺との境界部、および、前記前身頃の左側短直線辺と前記左後見頃の短直線辺との境界部に設けられたベルト通し輪と、
前記ベルト通し輪に貫通され腰回りを一周するベルトと
を備えたことを特徴とする請求項１又は請求項２に記載の上着。
【考案の詳細な説明】
【技術分野】
【０００１】
本考案は、女性がおんぶ紐を使用して、子供をおんぶする際に着衣する上着に関し、特に、体型に応じて調整することで、バストラインが強調されないようにすることができ、さらに、衣服としてファッションを楽しむことができるように形成された上着に関する。
【背景技術】
【０００２】
子供は、生後１０ヶ月から１歳半頃になるまで、独立して歩行することは困難である。したがって、独立して歩行ができない期間に、例えば、ショッピングや旅行などに、子供と共に外出する場合には、子供を搬送する手段が必要となる。一般的な子供の搬送手段として、ベビーカーやスリング等があるが、昔から用いられている方法の１つとして、おんぶ紐がある。
【０００３】
おんぶ紐は、おんぶ紐に設けられた座部に子供を座らせ、座部から前方に伸びる左右の紐を肩から身体前面の中央で交差させて背中に回し、腰回りを一周させて身体前面で紐を結んで使用する。したがって、おんぶ紐は、着用者の両手を解放することができ、着用者の自由を確保できる利点がある。また、おんぶ紐は、スリングと異なり、身体の前面方向に障害がなくなるため、着用者が、例えば、荷物を運んだりすることができるなどの利点がある。また、おんぶ紐は、ベビーカーと異なり、子供が着用者とのスキンシップをはかることができ、子供の精神面でも良い効果がある搬送手段である。
【０００４】
従来のおんぶ紐３００としては、図１０に開示されるようなものがある。図１０において、おんぶ紐３００は、身体の前面で、紐３０１と紐３０２をたすきがけにして使用する。おんぶ紐３００は、後面に子供を座らせる座部（図示せず）を有している。
【０００５】
しかしながら、このおんぶ紐３００を女性が使用した場合、紐３０１と紐３０２が、左右両肩から胸の中央３０３で交差し、そのまま両脇下３０４、３０５に回り込む構造をしているため、必然的にバストラインを強調してしまう。したがって、おんぶ紐３００は、着用者の自由度が高く、子供の精神面でも良い効果がある搬送手段であるにもかかわらず、女性にとってはバストラインが気がかりとなり、それがストレスとなるため、使用しがたい搬送手段である。
【０００６】
そこで、従来のおんぶ紐３００の問題点を解決するために、特許文献１に開示される図８（Ａ）のようなエプロン２００が考案されている。エプロン２００は、エプロン部２０１と、取り付け部２０２と、取り付け部２０３と、ボタン２０４と、孔２０５と、から構成されている。特許文献１に開示される図８（Ｂ）のように、エプロン２００は、おんぶ紐２０６を取り付け部２０２に取り付け、おんぶ紐２０７を取り付け部２０３に取り付け、エプロン部２０１を身体に巻き付け、背中で図８（Ａ）に示されるボタン２０４を孔２０５で止めて着用する。これによって、女性がおんぶ紐を使用した際にバストラインが強調されることがなく、バストラインを意識せずに、おんぶ紐を使用することができる。
【特許文献１】実用新案登録第３０７１７７９号
【考案の開示】
【考案が解決しようとする課題】
【０００７】
ところが、特許文献１に開示されるエプロン２００は、取り付け部２０２と取り付け部２０３の幅が固定されているため、例えば、図９（Ａ）に示すような体型が小柄な着用者用のエプロン２００を、図９（Ｂ）のように体型が大きい着用者が使用した場合、エプロン２００におけるバストラインの上部を覆うライン２０８、２０９が下方に下がり、バストラインが表に現れてしまうおそれがある。
【０００８】
つまり、特許文献１に開示されるエプロン２００では着用者の体型によってバストラインを完全に覆うことができなくなることがある。逆に、例えば、体型が大きいな着用者用のエプロン２００を体型が小柄な着用者が使用する場合も、首周りに弛みが形成されてしまうので、特許文献１に開示されるエプロン２００は使用が困難になる。
【０００９】
また、エプロンは一般的に家事の際に衣服に汚れが付着しないようにするためのカバーとして着用されるものであり、外出の際に着衣する衣服ではない。したがって、特許文献１に開示されるエプロン２００は、その目的からして室内着として形成されているため、外出の際に着衣する上着としてのファッションを楽しむことができない。
【００１０】
本考案は、上述の課題に鑑み、体型に応じて調整することで、バストラインが強調されないようにすることができ、さらに、上着としてファッションを楽しむことができるように形成された上着を提供することを目的とする。
【課題を解決するための手段】
【００１１】
上述の課題を解決するために、本願第１の考案の上着は、上側中央に開口部が設けられ、また、開口部の上側左右に設けられた折り畳み片が裏面に折り畳まれ、折り畳み片と裏面との間に筒状空間が形成され、また、左右両側に袖取り付け辺と短直線辺とが形成された前身頃部と、上側折り畳み片が裏面に折り畳まれ、折り畳み片と裏面との間に筒状空間が形成され、また、一方に袖取り付け辺と短直線辺が形成され、他方に長直線辺が形成された右後見頃と、上側折り畳み片が裏面に折り畳まれ、折り畳み片と裏面との間に筒状空間が形成され、また、一方に袖取り付け辺と短直線辺が形成され、他方に長直線辺が形成された左後身頃と、前身頃の上部に形成された筒状空間と、右後身頃の上部に形成された筒状空間と、左後身頃の上部に形成された筒状空間とを貫通する紐とから構成される衣服であって、前身頃の右側短直線辺と右後身頃の短直線辺、および、前身頃の左側短直線辺と左後身頃の短直線辺とがそれぞれ縫合され、かつ、右後身頃の長直線辺と左後見頃の長直線辺との間は完全に分離され、紐によって右後見頃の上部と左後見頃の上部と前身頃の上部が連通されていることを特徴とする。
【００１２】
好ましくは、前身頃部の左袖取り付け辺と左後身頃の袖取り付け辺に左袖部が設けられ、前身頃部の右袖取り付け辺と右後身頃の袖取り付け辺に右袖部が設けられたことを特徴とする。
【００１３】
好ましくは、前身頃の右短直線辺と右後見頃の短直線辺との境界部、および、前身頃の左短直線辺と左後見頃の短直線辺との境界部に設けられたベルト通し輪と、ベルト通し輪に貫通され腰回りを一周するベルトとを備えたことを特徴とする。
【考案の効果】
【００１４】
本願第１の考案の上着は、上側中央に開口部が設けられ、また、開口部の上側左右に設けられた折り畳み片が裏面に折り畳まれ、折り畳み片と裏面との間に筒状空間が形成され、また、左右両側に袖取り付け辺と短直線辺とが形成された前身頃部と、上側折り畳み片が裏面に折り畳まれ、折り畳み片と裏面との間に筒状空間が形成され、また、一方に袖取り付け辺と短直線辺が形成され、他方に長直線辺が形成された右後見頃と、上側折り畳み片が裏面に折り畳まれ、折り畳み片と裏面との間に筒状空間が形成され、また、一方に袖取り付け辺と短直線辺が形成され、他方に長直線辺が形成された左後身頃と、前身頃の上部に形成された筒状空間と、右後身頃の上部に形成された筒状空間と、左後身頃の上部に形成された筒状空間とを貫通する紐とから構成される衣服であって、前身頃の右側短直線辺と右後身頃の短直線辺、および、前身頃の左側短直線辺と左後身頃の短直線辺とがそれぞれ縫合され、かつ、右後身頃の長直線辺と左後見頃の長直線辺との間は完全に分離され、紐によって右後見頃の上部と左後見頃の上部と前身頃の上部が連通されて構成されている。したがって、右後身頃の直線辺と左後見頃の直線辺との間は完全に分離されているため、おんぶ紐を着用した状態で簡単に着用できる。また、紐によって右後見頃の上部と左後見頃の上部と前身頃の上部が連通されているため、着用者の体型に応じて襟周りの広さを調整できる。
【００１５】
本願第２の考案の上着は、前身頃部の左袖取り付け辺と左後身頃の袖取り付け辺に左袖部が設けられ、前身頃部の右袖取り付け辺と右後身頃の袖取り付け辺に右袖部が設けられて構成されている。したがって、前身頃部と、右後見頃と、左後身頃と、左袖部と、右袖部とから構成される女性用上着の形状をしているため、外出着としてファッションを楽しむこともできる。
【００１６】
本願第３の考案の上着は、前身頃の右短直線辺と右後見頃の短直線辺との境界部、および、前身頃の左短直線辺と左後見頃の短直線辺との境界部に設けられたベルト通し輪と、ベルト通し輪に貫通され腰回りを一周するベルトとを備えられるように構成されている。したがって、着用者の体型に応じて腰周りを身体にフィットさせることができるため、前屈した場合などに、腰回りが弛むことを防止することができ、より一層着用しやすくなる。また、紐をベルトや帯等に変更させることにより、ファッションを楽しむことができる。
【考案を実施するための最良の形態】
【００１７】
第１実施形態．
以下、本考案の第１実施形態について図に基づいて説明する。図１は、本考案の第１実施形態の上着１の前身頃１０と右後見頃４０と左後見頃３０との展開図を示す図である。なお、図１において左右と言うときには、着衣者が本上着１を身につけたときに右手の側に位置する部分を右と呼び、左手に位置する部分を左と呼ぶ。したがって、図１において本上着１を正面から見たときの左右と以下に説明する左右とは逆の関係にある。図１（Ａ）は、上着１を縫製する前の布を切断した状態を示す図である。
図１（Ａ）に示すように、本考案の第１実施形態の上着１は、前身頃１０と、右後見頃４０と、左後見頃３０と、から構成されている。前身頃１０は、上辺に、Ｖ字型の開口部２１が設けられ、また、そのＶ字型の開口部２１の右上側に折り畳み片１１、左上側に折り畳み片１５を有している。また、前身頃１０は、右側辺に、袖取り付け辺１４とその下部の短直線辺１９を有し、左側辺に袖取り付け辺１８とその下部の短直線辺２０を有している。また、折り畳み片１１は、端１２と折り線１３とから構成されており、折り畳み片１５は、端１６と折り線１７とから構成されている。
【００１８】
また、右後見頃４０は、上辺に折り畳み片４１を有しており、折り畳み片４１は、端４２と折り線４３とから構成されている。また、右後見頃４０は、左側辺に、長直線辺４５を有し、右側辺に袖取り付け辺４４とその下部の短直線辺４６とを有している。
【００１９】
また、左後見頃３０は、上辺に折り畳み片３１を有しており、折り畳み片３１は、端３２と折り線３３とから構成されている。また、左後見頃３０は、左側辺に、長直線辺３５を有し、右側辺に袖取り付け辺３４とその下部の短直線辺３６とを有している。
【００２０】
なお、前身頃１０の上辺中央に設けられたＶ字型の開口部２１は、Ｖ字型の形状のみではなく、Ｕ字型でも、半円形でも矩形でも良く、開口部２１の左右に設けられた折り畳み片１５と折り畳み片１２を分離させる形状であれば良い。
【００２１】
図１（Ｂ）は、図１（Ａ）において、折り畳み片を折り線で折り曲げた状態を示す図である。図１（Ｂ）に示すように、前身頃１０の折り畳み片１１は、折り線１３から前身頃１０の裏面に折り畳まれ、折り畳み片１１の端１２が、前身頃１０の裏面に固定される。これによって、折り畳み片１１と前身頃１０の間に筒状空間５１が形成される。同じように、前身頃１０の折り畳み片１５は、折り線１７から前身頃１０の裏面に折り畳まれ、折り畳み片１５の端１６が、前身頃１０の裏面に固定される。これによって、折り畳み片１５と前身頃１０の間に筒状空間５４が形成される。
【００２２】
また、右後見頃４０の折り畳み片４１は、折り線４２から右後見頃４０の裏面に折り畳まれ、折り畳み片４１の端４２が、右後身頃４０の裏面に固定される。これによって、折り畳み片４３と右後身頃４０の間に筒状空間５３が形成される。同じように、左後身頃３０の折り畳み片３１は、折り線３３から左後身頃３０の裏面に折り畳まれ、折り畳み片３１の端３２が、左後身頃３０の裏面に固定される。これによって、折り畳み片３１と左後身頃３０の間に筒状空間５６が形成される。
【００２３】
図２は、前身頃１０と、右後見頃４０と、左後身頃３０とが縫合された状態の背面図である。図２に示すように、前身頃１０と右後見頃４０は、前身頃１０の短直線辺１９と右後見頃４０の短直線辺４６が縫合され境界部５９を形成し、また、同じように、前身頃１０と左後見頃３０は、前身頃１０の短直線辺２０と左後見頃３０の短直線辺３６が縫合され境界部６０を形成する。その結果、前身頃１０における折り畳み片１１で形成された筒状空間５１と、右後見頃４０における折り畳み片４１で形成された筒状空間５３とが境界線５２で接し、袖取り付け開口部５７を形成する。同様に、前身頃１０における折り畳み片１５で形成された筒状空間５４と、左後見頃３０における折り畳み片３１で形成された筒状空間５６とが境界線５５で接し、袖取り付け開口部５８を形成する。なお、右後見頃４０の長直線辺３５と左後見頃３０の長直線辺４５は完全に分離しており、また、右後見頃４０の折り畳み片４１で形成された筒状空間５３と左後見頃３０の折り畳み片３１で形成された筒状空間５６も完全に分離しており、開口部６１を形成している。
【００２４】
図２に示すように、右後見頃４０の長直線辺３５と左後見頃の長直線辺４５の間と、右後見頃４０の折り畳み片４１で形成された筒状空間５３と左後見頃３０の折り畳み片３１で形成された筒状空間５６の間が、完全に分離しているため、着衣者は、おんぶ紐を取り付けた状態で、上着１を簡単に着衣することができる。
【００２５】
図３は、前身頃１０と、右後見頃４０と、左後身頃３０とが縫合された状態の正面斜視図である。図３に示すように、紐６２は、前身頃１０の上辺中央に形成されたＶ字型の開口部２１側に開口された筒状空間５４から挿入され、筒状空間５４と境界５５で結合された筒状空間５６に挿通し、開口部６１で筒状空間５６から外部に出る。さらに、紐６２は、筒状空間５３に挿入され、筒状空間５３と境界５２で結合された筒状空間５１に挿通し、前身頃１０の上辺中央に形成されたＶ字型の開口部２１で外部に出る。つまり、紐６２は、襟周りを一回り挿通するように設けられる。
【００２６】
したがって、紐６２が、筒状空間５４から筒状空間５６を通って、筒状空間５３、筒状空間５１を挿通し、襟周りを一回りするように設けられるため、体型に応じて襟周りの広さを調整することができ、バストラインが強調されないようにすることができる。
【００２７】
第２実施形態．
以下、本考案の第２実施形態の上着について図に基づいて説明する。第２実施形態の上着は、第１実施形態の上着に右袖部と左袖部を付加したものである。図４は、本考案の第２実施形態の上着７０を示す図である。図４に示すように、上着７０は、Ｖ字型の開口部７３を有する前身頃７９と、前身頃７９と境界部７７で縫合される左後見頃８１と、前身頃７９と境界部７６で縫合される右後身頃８２と、右袖部７４と、左袖部７５と、から構成されている。また、上着７０は、右後見頃８２における長直線辺８４と、左後見頃８１における長直線辺８３との間が、完全に分離した状態に形成されている。
【００２８】
また、図４に示すように、上着７０は、襟周りに筒状空間７１と筒状空間７２が形成されており、紐７８が、前身頃７９に設けられたＶ字型の開口部７３から筒状空間７２に挿通され、開口部８０で外部に出、そして、筒状空間７２に挿通され、Ｖ字型の開口部７３で外部に出るように構成されている。
【００２９】
図４に示すように、上着７０は、紐７８によって、着用者の体型に応じて、襟周りの広さを調整でき、バストラインが強調されないようにでき、さらに、上着７０は、前身頃７９と、右後見頃８２と、左後身頃８１と、右袖部７４と、左袖部７５とから構成される上着であり、一般的な上着の形状と変わらないため、上着７０の右袖部７４と左袖部７５のデザインのように、例えば、手首を絞るデザインにしたり、腕にギャザーを設けたデザインにしたりなど、様々なデザインを形成させることができる。したがって、上着７０は、ファッションとして楽しむことができる。
【００３０】
第３実施形態．
以下、本考案の第３実施形態について図に基づいて説明する。図５は、本考案の第３実施形態の上着９０を示す図である。図５に示すように、上着９０は、Ｖ字型の開口部９３を有する前身頃９９と、左後見頃１０１と、前身頃９９と左後見頃１０１とが縫合された境界部９７と、右後身頃１０２と、前身頃９９と右後身頃１０２とが縫合された境界部９６と、右袖部９４と、左袖部９５とから構成されている。また、上着９０は、右後見頃１０２における長直線辺１１４と、左後見頃１０１における長直線辺１１３との間が、完全に分離した状態に形成されている。
【００３１】
また、図５に示すように、上着９０は、襟周りに筒状空間９１と筒状空間９２が形成されており、紐９８が、前身頃９９に設けられたＶ字型の開口部９３から筒状空間９１に挿通され、開口部１００で外部に出、そして、筒状空間９２に挿通され、Ｖ字型の開口部９３で外部に出るように構成されている。
【００３２】
また、図５に示すように、上着９０は、境界部９６にベルト通し輪１０５が設けられ、境界部９７にベルト通し輪１０６が設けられており、ベルト通し輪１０５とベルト通し輪１０６に通され腰回りを一周するベルト１０４が設けられている。
【００３３】
図５に示すように、上着９０は、ベルト通し輪１０５とベルト通し輪１０６に通され腰回りを一周するベルト１０４が設けられているため、開口部１００で完全に分離された右後身頃１０２の長直線辺１１４と左後身頃１０１の長直線辺１１３との間が開くことを防止することができる。したがって、例えば、着用者が上着９０を着衣した状態で前屈をしても、開口部１００の間隔が一定となり、右後見頃１０２と左後身頃１０１が身体の前面に落ちて邪魔になることがなくなる。
【００３４】
なお、図５に示されたベルト１０４は、リボン１０３のようなデザインの形状以外にも、図６の（Ａ）に示すように、孔によって長さを調整できる一般的なベルト１０７のようなベルトでも良く、また、図６の（Ｂ）で示すように、ゴムなど伸縮性のある素材を使用した帯状ベルトでも良い。
【００３５】
また、境界部９６と境界部９７に設けるベルト通し輪は、図７の（Ａ）に示すような、境界部への結合部１０９と結合部１１０を有する半輪状ベルト通し輪１１１の形状以外にも、あらかじめ輪状に形成され、境界部へ結合部が結合部１１２のみの輪状ベルト通し輪１１５の形状のようなベルト通し輪でも良い。したがって、ベルトやベルト通し輪についても様々なデザインに変化させることができ、ファッションとして、楽しむことができる。
【００３６】
以上述べた実施の形態は本考案を説明するための一例であり、本考案は、上記の実施の形態に限定されるものではなく、本考案の要旨の範囲で種々の変形が可能である。
【産業上の利用可能性】
【００３７】
本考案は、子供をおんぶする際に使用する上着の用途に用いることができ、さらに、ファッションとして着用することも可能である。
【図面の簡単な説明】
【００３８】
【図１】本考案の第１実施形態の上着の前身頃と右後見頃と左後見頃との展開図を示す図である。
【図２】前身頃と右後見頃と左後身頃とが縫合された状態の背面図である。
【図３】前身頃と右後見頃と左後身頃とが縫合された状態の正面斜視図である
【図４】本考案の第２実施形態の上着を示す図である。
【図５】本考案の第３実施形態の上着を示す図である。
【図６】ベルトの種々の構造を示す図である。
【図７】ベルト通し輪の種々の構造を示す図である。
【図８】特許文献１に開示されたエプロンの構成を示す図である。
【図９】特許文献１に開示されたエプロンの使用状態を示す図である。
【図１０】従来のおんぶ紐を示す図である。
【符号の説明】
【００３９】
１、７０、９０  上着
１０、７９、９９  前身頃
１１、１５、３１、４１  折り畳み片
１２、１６、３２、４２  端
１３、１７、３３、４３  折り線
１４、１８、３４、４４  袖取り付け辺
１９、２０、３６、４６  短直線辺
２１、６１、７３、８０、９３、１００  開口部
３０、８１、１０１  左後見頃
３５、４５、８３、８４、１１３、１１４  長直線辺
４０、８２、１０２  右後見頃
５１、５３、５４、５６、７１、７２、９１、９２  筒状空間
５２、５５、５９、６０、７６、７７、９６、９７  境界線
５７、５８  袖取り付け開口部
６２、７８、９８  紐
７４、９４  右袖部
７５、９５  左袖部
１０３  リボン
１０４  ベルト
１０５、１０６  ベルト通し輪
１０７  一般的なベルト
１０８  帯状ベルト
１０９、１１０、１１２  結合部
１１１  半輪状ベルト通し輪
１１５  輪状ベルト通し輪
【図１】
0003139356.tif 000003
【図２】
0003139356.tif 000004
【図３】
0003139356.tif 000005
【図４】
0003139356.tif 000006
【図５】
0003139356.tif 000007
【図６】
0003139356.tif 000008
【図７】
0003139356.tif 000009
【図８】
0003139356.tif 000010
【図９】
0003139356.tif 000011
【図１０】
0003139356.tif 000012